(57)【要約】  ＮＣＦを用いて半導体チップをボンディングする際の半導体チップの加熱条件設定方法であって、各種の温度上昇率におけるＮＣＦの温度に対する粘度の変化を示す粘度特性マップと、同一の温度上昇率で加熱開始温度を変化させた場合のＮＣＦの温度に対する粘度の変化を示す加熱開始温度特性マップとに基づいて加熱開始温度と温度上昇率とを設定する。
2019065309.tif 000002
【特許請求の範囲】
【請求項１】
非導電性フィルムを用いて半導体チップをボンディングする際の半導体チップの加熱条件設定方法であって、
各種の温度上昇率における非導電性フィルムの温度に対する粘度の変化を示す粘度特性マップと、同一の温度上昇率で加熱開始温度を変化させた場合の非導電性フィルムの温度に対する粘度の変化を示す加熱開始温度特性マップと、のいずれか一方または両方に基づいて加熱開始温度と温度上昇率とを設定すること、
を特徴とする加熱条件設定方法。
【請求項２】
請求項１に記載の加熱条件設定方法であって、
ボンディングは、半導体チップに形成された金属バンプを溶融させて基板あるいは他の半導体チップの電極との間で合金を形成することにより半導体チップを基板または他の半導体チップに接合し、非導電性フィルムを熱硬化させて半導体チップと基板あるいは他の半導体チップとの間の隙間を充填するものであり、
加熱開始温度と温度上昇率の設定は、金属バンプの溶融開始温度よりも低い温度で非導電性フィルムの粘度が硬化粘度以上となる加熱開始温度と温度上昇率の組み合わせを選択すること、
を特徴とする加熱条件設定方法。
【請求項３】
請求項１または２に記載の加熱条件設定方法であって、
粘度特性マップは、
ボンディングステージとボンディングツールの間に非導電性フィルムを挟みこんで一定の荷重で押圧した状態で、各種の温度上昇率で非導電性フィルムの温度を上昇させながら、ボンディングツールの降下量を測定し、ボンディングツールの降下量に基づいて非導電性フィルムの粘度を算出し、各種の温度上昇率における非導電性フィルムの温度に対する粘度の変化特性として出力したものである加熱条件設定方法。
【請求項４】
請求項１または２に記載の加熱条件設定方法であって、
加熱開始温度特性マップは、
ボンディングステージとボンディングツールの間に非導電性フィルムを挟みこんで一定の荷重で押圧した状態で、各種の加熱開始温度から同一の温度上昇率で非導電性フィルムの温度を上昇させながら、ボンディングツールの降下量を測定し、ボンディングツールの降下量に基づいて非導電性フィルムの粘度を算出し、同一の温度上昇率で加熱開始温度を変化させた場合の非導電性フィルムの温度に対する粘度の変化特性として出力したものである加熱条件設定方法。
【請求項５】
請求項１または２に記載の加熱条件設定方法であって、
設定した加熱開始温度と温度上昇率とに基づいて、半導体チップを加熱するヒータへの温度指令を設定する加熱条件設定方法。
【請求項６】
請求項３に記載の加熱条件設定方法であって、
設定した加熱開始温度と温度上昇率とに基づいて、半導体チップを加熱するヒータへの温度指令を設定する加熱条件設定方法。
【請求項７】
請求項４に記載の加熱条件設定方法であって、
設定した加熱開始温度と温度上昇率とに基づいて、半導体チップを加熱するヒータへの温度指令を設定する加熱条件設定方法。
【請求項８】
ボンディング装置を用いた非導電性フィルムの粘度測定方法であって、
ボンディングステージとボンディングツールの間に非導電性フィルムを挟みこんで一定の荷重で押圧した状態で、所定の温度上昇率で非導電性フィルムの温度を上昇させながら、ボンディングツールの降下量を測定し、
ボンディングツールの降下量に基づいて非導電性フィルムの粘度を算出する非導電性フィルムの粘度測定方法。
【請求項９】
ボンディング装置であって、
非導電性フィルムが載置されるボンディングステージと、
前記ボンディングステージと共に前記非導電性フィルムを挟み込むボンディングツールと、
前記ボンディングツールを上下方向に駆動するボンディングヘッドと、
前記ボンディングヘッドに内蔵されたヒータと、
前記ボンディングヘッドの高さと前記ヒータの出力とを調整する制御部と、を備え、
前記制御部は、
前記ボンディングヘッドを降下させて前記非導電性フィルムを一定の荷重で押圧した状態で、前記ヒータによって所定の温度上昇率で前記非導電性フィルムの温度を上昇させながら、前記ボンディングツールの降下量を測定し、
前記ボンディングツールの降下量に基づいて前記非導電性フィルムの粘度を算出すること、
を特徴とするボンディング装置。
【発明の詳細な説明】
【技術分野】
【０００１】
本発明は、ボンディングの際の半導体チップの加熱条件設定方法及びボンディング装置を用いた非導電性フィルムの粘度測定方法およびボンディング装置の構造に関する。
【背景技術】
【０００２】
半導体チップを樹脂封止する際の樹脂を上下で挟み込んで加熱して加熱溶融させ、その際の樹脂の広がりを検出することにより、樹脂の粘度を測定する方法が提案されている（例えば、特許文献１参照）。【０００３】
また、円柱状の試料を平行平板で挟み込んで荷重を加えた際の厚さの変化に基づいて試料の粘度を測定する方法が知られている（非特許文献１参照）
【先行技術文献】
【特許文献】
【０００４】
【特許文献１】特開２００８−１４５２７３号公報
【非特許文献】
【０００５】
【非特許文献１】白石裕等、「貫入法、平行板変形−回転法の組合せによる広域粘度計の開発」、日本金属学会詩第６０巻第２号（１９９６）、１８４頁から１９１頁
【発明の概要】
【発明が解決しようとする課題】
【０００６】
ところで、電極に金属バンプを形成した半導体チップを反転させ、金属バンプを溶融させて基板の電極との間で合金を形成することにより半導体チップを基板に接合するフリップチップボンディングが用いられている。このボンディングでは、半導体チップと基板との間の隙間を充填するために熱硬化性の非伝導性フィルム（以下、ＮＣＦという）が用いられている。ＮＣＦは、半導体チップの金属バンプの上に貼り付けられており、半導体チップを加熱した際、金属バンプが溶融する前に軟化して半導体チップと基板との間に入り込み、更に温度を上げると熱硬化を開始する。そして、ＮＣＦが熱硬化を開始した後に金属バンプが溶融して基板の電極との間に合金を作ることによって半導体チップが基板に接合される。【０００７】
ところが、ＮＣＦの種類によっては、加熱の際の硬化が遅れ、ＮＣＦが軟化状態で金属バンプの溶融が開始されてしまう場合がある。この場合、軟化したＮＣＦの流動により、溶融した金属バンプが流されてしまい、半導体チップと基板とを接合する合金の形状が歪んでしまい、半導体チップと基板とを好適に接合できない場合がある。【０００８】
このため、好適なボンディングを行うためには、温度に対するＮＣＦの粘度の変化特性を知ることが重要である。しかし、温度に対するＮＣＦの粘度の変化特性は、ＮＣＦの加熱速度、加熱開始温度等様々な要因で大きく変化する。このため、ＮＣＦの加熱速度、加熱開始温度等の様々なパラメータを変化させてボンディング試験を行い、ボンディングの際の半導体チップの加熱条件を決定することが必要であり、ボンディングの条件設定に時間が掛かってしまうという問題があった。【０００９】
そこで、本発明は、短時間でボンディングの際の加熱条件を設定可能とすることを目的とする。
【課題を解決するための手段】
【００１０】
本発明の加熱条件設定方法は、非導電性フィルムを用いて半導体チップをボンディングする際の半導体チップの加熱条件設定方法であって、各種の温度上昇率における非導電性フィルムの温度に対する粘度の変化を示す粘度特性マップと、同一の温度上昇率で加熱開始温度を変化させた場合の非導電性フィルムの温度に対する粘度の変化を示す加熱開始温度特性マップとのいずれか一方または両方に基づいて加熱開始温度と温度上昇率を設定すること、を特徴とする。【００１１】
本発明の加熱条件設定方法において、ボンディングは、半導体チップに形成された金属バンプを溶融させて基板あるいは他の半導体チップの電極との間で合金を形成することにより半導体チップを基板または他の半導体チップに接合し、非導電性フィルムを熱硬化させて半導体チップと基板あるいは他の半導体チップとの間の隙間を充填するものであり、加熱開始温度と温度上昇率の設定は、金属バンプの溶融開始温度よりも低い温度で非導電性フィルムの粘度が硬化粘度以上となる加熱開始温度と温度上昇率の組み合わせを選択することとしてもよい。【００１２】
本発明の加熱条件設定方法において、粘度特性マップは、ボンディングステージとボンディングツールの間に非導電性フィルムを挟みこんで一定の荷重で押圧した状態で、各種の温度上昇率で非導電性フィルムの温度を上昇させながら、ボンディングツールの降下量を測定し、ボンディングツールの降下量に基づいて非導電性フィルムの粘度を算出し、各種の温度上昇率における非導電性フィルムの温度に対する粘度の変化特性として出力したものでよい。【００１３】
本発明の加熱条件設定方法において、加熱開始温度特性マップは、ボンディングステージとボンディングツールの間に非導電性フィルムを挟みこんで一定の荷重で押圧した状態で、各種の加熱開始温度から同一の温度上昇率で非導電性フィルムの温度を上昇させながら、ボンディングツールの降下量を測定し、ボンディングツールの降下量に基づいて非導電性フィルムの粘度を算出し、同一の温度上昇率で加熱開始温度を変化させた場合の非導電性フィルムの温度に対する粘度の変化特性として出力したものでよい。【００１４】
本発明の加熱条件設定方法において、設定した加熱開始温度と温度上昇率とに基づいて、半導体チップを加熱するヒータへの温度指令を設定してもよい。【００１５】
これにより、本発明の加熱条件設定方法は、短時間でボンディングの際の加熱条件を設定可能とすることができる。【００１６】
本発明の粘度測定方法は、ボンディング装置を用いた非導電性フィルムの粘度測定方法であって、ボンディングステージとボンディングツールの間に非導電性フィルムを挟みこんで一定の荷重で押圧した状態で、所定の温度上昇率で非導電性フィルムの温度を上昇させながら、ボンディングツールの降下量を測定し、ボンディングツールの降下量に基づいて非導電性フィルムの粘度を算出することを特徴とする。【００１７】
本発明のボンディング装置は、非導電性フィルムが載置されるボンディングステージと、ボンディングステージと共に非導電性フィルムを挟み込むボンディングツールと、ボンディングツールを上下方向に駆動するボンディングヘッドと、ボンディングヘッドに内蔵されたヒータと、ボンディングヘッドの高さとヒータの出力とを調整する制御部と、を備え、制御部は、ボンディングヘッドを降下させて非導電性フィルムを一定の荷重で押圧した状態で、ヒータによって所定の温度上昇率で非導電性フィルムの温度を上昇させながら、ボンディングツールの降下量を測定し、ボンディングツールの降下量に基づいて非導電性フィルムの粘度を算出すること、を特徴とする。【００１８】
これにより、ボンディング装置を利用して簡便に非導電性フィルムの粘度を測定することができる。
【発明の効果】
【００１９】
本発明は、短時間にボンディングの際の加熱条件を設定可能とすることができる。
【図面の簡単な説明】
【００２０】
【図１】本発明の実施形態における半導体チップの加熱条件設定方法を示すフローチャートである。
【図２】ボンディング装置によって非導電性フィルム（ＮＣＦ）の粘度測定を行っている状態を示す説明図である。
【図３】粘度特性マップの一例である。
【図４】加熱開始温度特性マップの一例である。
【図５】選択した加熱開始温度と温度上昇率とに基づくＮＣＦの温度の時間変化とヒータ温度指令値とを示すグラフである。
【図６】図５で設定したヒータ温度指令値によってボンディングをした場合の半導体チップ、ＮＣＦの温度の時間変化とＮＣＦの粘度の時間変化を示すグラフである。
【発明を実施するための形態】
【００２１】
以下、図面を参照しながら実施形態の加熱条件設定方法について説明する。図１に示すように実施形態の加熱条件設定方法は、図１のステップＳ１０１に示す粘度特性マップ生成ステップと、図１のステップＳ１０２に示す加熱開始温度特性マップ生成ステップと、図１のステップＳ１０３に示す加熱温度、温度上昇率選択ステップと、図１のステップＳ１０４に示すヒータ温度指令設定ステップとを含んでいる。
【００２２】
最初に図２、３を参照しながら粘度特性マップ生成ステップについて説明する。図２に示すように、ＮＣＦ４０の粘度の測定はボンディング装置１００を用いて行う。
【００２３】
図２に示すように、ボンディング装置１００は、表面に半導体チップ３２を真空吸着するボンディングステージ１０と、半導体チップ３１を真空吸着するボンディングツール２４と、ボンディングヘッド２０と、制御部９０とを含んでいる。ボンディングヘッド２０は、ベース２１と、ベース２１に取り付けられるヒートブロック２２と、ベース２１を上下方向に駆動する駆動部２５を含んでいる。ボンディングツール２４は、ヒートブロック２２に真空吸着で固定されている。ボンディングステージ１０には半導体チップ３２を加熱するヒータ１２が内蔵され、ヒートブロック２２には半導体チップ３１を加熱するヒータ２３が内蔵されている。ヒータ１２、２３にはヒータ１２、２３への供給電力を調整するコントローラ１４、２６が接続されている。制御部９０は、内部にＣＰＵとメモリとを備えるコンピュータである。
【００２４】
ボンディングヘッド２０の駆動部２５は、制御部９０の指令に基づいてボンディングツール２４を上下方向に駆動すると共に、ボンディングツール２４の高さと、ボンディングツール２４の押圧荷重Ｆを制御部９０に出力する。ヒートブロック２２には、ヒートブロック２２の温度を検出する温度センサ９１が取り付けられている。また、ボンディング装置１００には、ＮＣＦ４０の温度を検出する温度センサ９２が取り付けられている。温度センサ９２は、例えば、非接触式の温度検出器でもよい。温度センサ９１、９２の取得した温度データは、制御部９０に入力される。
【００２５】
図２に示すように、ボンディングステージ１０の上に半導体チップ３２を真空吸着し、その上に厚さＨのＮＣＦ４０を載置する。また、ボンディングツール２４の表面に半導体チップ３１を真空吸着させる。そして、制御部９０は、ボンディングヘッド２０を降下させて半導体チップ３１をＮＣＦ４０の上に接しさせ、半導体チップ３１、３２の間にＮＣＦ４０を挟み込む。これにより、ＮＣＦ４０は、半導体チップ３１、３２を介してボンディングステージ１０とボンディングツール２４との間に挟みこまれる。そして、制御部９０は、ボンディングヘッド２０をわずかに降下させて、ＮＣＦを一定の押圧荷重Ｆで押圧する。この際、ボンディングステージ１０の温度は温度ＴＢであり、半導体チップ３１の温度は温度Ｔ０である。
【００２６】
制御部９０は、駆動部２５によって押圧荷重Ｆが一定に成るように調整しながら、コントローラ２６を調節してヒータ２３への通電電力を増加させ、所定の温度上昇率でＮＣＦ４０の温度を上昇させて行く。ＮＣＦ４０の温度が上昇するとＮＣＦ４０が軟化して高さＨが減少し、ボンディングツール２４が降下してくる。制御部９０は、ボンディングヘッド２０の降下量によって高さＨの変化を検出する。
【００２７】
ここで、ＮＣＦ４０に加えている押圧荷重をＦ（Ｎ）、ＮＣＦ４０の厚さをＨ（ｍ）、時間をｔ（ｓｅｃ）、試料のＮＣＦ４０の体積をＱ（ｍ３）とすると、ＮＣＦ４０の粘度Ｖ（Ｐａ・Ｓ）は、以下の式によって算出することができる（例えば、非特許文献１参照）。
Ｖ＝２*π*Ｆ*Ｈ５／３*Ｑ*（−ｄＨ／ｄｔ）（２*π*Ｈ３+Ｑ）    ----    （式１）
【００２８】
制御部９０は、温度上昇率をＡ（℃／ｓ）として、ＮＣＦ４０の温度をＴ０から上昇させ、ボンディングツール２４の高さが減少する度に（式１）により、ＮＣＦ４０の粘度Ｖを算出していく。すると、図３の実線ａに示すような特性カーブが得られる。図３の実線ａに示すように、ＮＣＦ４０は、温度が上昇すると軟化して粘度Ｖは硬化粘度Ｖｓ以下まで低下する。そこから、更に温度を上げて行くと、ＮＣＦ４０の熱硬化が始まり、温度Ｔ１で硬化粘度Ｖｓを超える。その後、熱硬化によりＮＣＦ４０の粘度は、急速に上昇する。
【００２９】
温度上昇率をＡ（℃／ｓ）よりも大きいＢ（℃／ｓ）として、同様の試験を行うと、一点鎖線ｂに示すように、ＮＣＦ４０は、温度の上昇により軟化した後、熱硬化により温度Ｔ２（Ｔ２＞Ｔ１）で硬化粘度Ｖｓを超え、その後、粘度Ｖは急速に上昇する。同様に、温度上昇率がＣ（℃／ｓ）（Ｃ＞Ｂ）の場合には、二点鎖線ｃに示すように、ＮＣＦ４０は、熱硬化により温度Ｔ３（Ｔ３＞Ｔ２）で硬化粘度Ｖｓを超え、温度上昇率がＤ（℃／ｓ）（Ｄ＞Ｃ）の場合には、丸プロット線ｄに示すように温度Ｔ４（Ｔ４＞Ｔ３）で硬化粘度Ｖｓを超える。
【００３０】
このように、ＮＣＦ４０を加熱すると、温度上昇率が大きくなるほど、熱硬化により粘度Ｖが硬化粘度Ｖｓを超える温度が高くなってくる。
【００３１】
粘度特性マップ５０は、図３に示す実線ａ、一点鎖線ｂ，二点鎖線ｃ、丸プロット線ｄのように、各種の温度上昇率における非導電性フィルムの温度に対する粘度Ｖの変化特性を示す線を一つのグラフに纏めたマップである。図３の温度ＴＷは、金属バンプ、例えば、はんだ金属バンプの溶融開始温度を示す。これについては、後で説明する。
【００３２】
次に図４を参照しながら、加熱開始温度特性マップ６０について説明する。ＮＣＦ４０の粘度測定方法は、先に説明した粘度特性マップの生成の場合と同様なので、説明は省略する。
【００３３】
図４は、加熱開始温度特性マップ６０の一例を示している。図４に示す二点鎖線ｃは、先に説明した図３の二点鎖線ｃと同様、加熱開始温度がＴ０、温度上昇率がＣ（℃／ｓ）の場合のＮＣＦ４０の温度対するＮＣＦ４０の粘度Ｖの変化を示している。図４に示す三角プロット線ｃ１は、加熱開始温度がＴ０１（Ｔ０１＞Ｔ０）で、温度上昇率が二点鎖線ｃと同様のＣ（℃／ｓ）の場合のＮＣＦ４０の温度対するＮＣＦ４０の粘度Ｖの変化を示している。また、図４に示す×プロット線ｃ２は、加熱開始温度がＴ０２（Ｔ０２＞Ｔ０１）で、温度上昇率が二点鎖線ｃと同様のＣ（℃／ｓ）の場合のＮＣＦ４０の温度対するＮＣＦ４０の粘度Ｖの変化を示している。
【００３４】
図４に示すように、加熱開始温度が高くなるほど、粘度Ｖが硬化粘度Ｖｓを超える温度が低くなって来る。このように、加熱開始温度特性マップは、図４に示す二点鎖線ｃ、三角プロット線ｃ１、×プロット線ｃ２のように、同一の温度上昇率で加熱開始温度を変化させた場合の非導電性フィルムの温度に対する粘度の変化特性を示す線を一つのグラフに纏めたマップである。
【００３５】
次に、図１のステップＳ１０３に示す、加熱開始温度、温度上昇率の選択について説明する。
【００３６】
半導体チップ３１に形成された金属バンプを溶融させて基板の電極との間で合金を形成することにより半導体チップ３１を基板に接合し、ＮＣＦ４０を熱硬化させて半導体チップ３１と基板との間の隙間を充填するボンディングを行う場合、金属バンプが溶融する前にＮＣＦ４０が軟化して半導体チップ３１と基板との間に入り込み、ＮＣＦ４０が熱硬化を開始した後に金属バンプが溶融して基板の電極との間に合金を作ることが重要である。このため、加熱開始温度と温度上昇率は、金属バンプの溶融開始温度ＴＷよりも低い温度でＮＣＦ４０の粘度Ｖが硬化粘度Ｖｓ以上となる加熱開始温度と温度上昇率の組み合わせとすることが必要である。
【００３７】
まず、図３に示す粘度特性マップ５０を用いて加熱開始温度と温度上昇率の組み合わせを選択する場合について説明する。図４のＴＷは、金属バンプの溶融開始温度である。加熱開始温度がＴ０の場合、温度上昇率がＡ（℃／s）、Ｂ（℃／ｓ）の場合、実線ａ、一点鎖線ｂに示すように、金属バンプの溶融開始温度ＴＷよりも低い温度Ｔ０１，Ｔ０２でＮＣＦ４０の粘度Ｖが硬化粘度Ｖｓ以上となるので、加熱開始温度Ｔ０、温度上昇率Ａ、Ｂは採用可能な組み合わせである。一方、温度上昇率が（℃／s）、Ｄ（℃／ｓ）の場合、二点鎖線ｃ、丸プロット線ｄに示すように、温度が金属バンプの溶融開始温度ＴＷよりも高くならないとＮＣＦ４０の粘度Ｖが硬化粘度Ｖｓ以上にならない。このため、金属バンプの溶融状態とＮＣＦの流動状態とが重なり、ＮＣＦ４０の流動によって溶融した金属バンプが電極上から流れてしまい、好適な接合ができない。このため、加熱開始温度Ｔ０、温度上昇率Ｃ、Ｄは採用不可能な組み合わせである。
【００３８】
ここで、温度上昇率は高いほど、ボンディングのタスクタイムを短くできるので、採用可能な加熱開始温度と温度上昇率の組み合わせの内、温度上昇率の大きい方の組み合わせを選択する。
【００３９】
つまり、図４の粘度特性マップから、金属バンプの溶融開始温度ＴＷよりも低い温度で粘度Ｖが硬化粘度Ｖｓ以上になる加熱開始温度と温度上昇率との組み合わせを選び、その中で、温度上昇率の一番高い組み合わせを加熱条件として選択する。
【００４０】
また、温度上昇率がより大きいＣ（℃／ｓ）でボンディングを行う場合の加熱条件は、図４に示す加熱開始温度特性マップ６０を参照して、金属バンプの溶融開始温度ＴＷよりも低い温度で粘度Ｖが硬化粘度Ｖｓ以上になる加熱開始温度と温度上昇率との組み合わせである、加熱開始温度がＴ０２、温度上昇率Ｃ（℃／ｓ）の組み合わせを加熱条件として選択する。
【００４１】
以上の説明では、図４に示す加熱開始温度特性マップ６０に記載された線に基づいて加熱条件を選択するようにしたが、これに限らず、例えば、三角プロット線ｃ１と、×プロット線ｃ２とを補間して加熱開始温度をＴ０２よりも少し低い温度に設定してもよい。
【００４２】
以上説明したように、実施形態の加熱条件設定方法は、多くの加熱条件により試験ボンディングを行う必要がなくなるので短時間に加熱条件の設定を行うことができる。
【００４３】
次に、図１のステップＳ１０４に示すように、選択した加熱開始温度と温度上昇率に基づいて、ヒータ２３の温度指令を設定するステップについて説明する。
【００４４】
図５（ａ）は、加熱開始温度としてＴ０２、温度上昇率Ｃ（℃／ｓ）の場合の半導体チップ３１あるいはＮＣＦ４０の時間に対する温度上昇を示すカーブである。ヒータ２３への温度指令と半導体チップ３１あるいはＮＣＦ４０の温度上昇との間には、時間遅れがある。この時間遅れは、予め行った試験等で数値モデルの構成、パラメータ設定をしておく。そして、その設定パラメータと数値モデルを用いて図５（ａ）のような温度変化となるようなヒータ２３への温度指令を図５（ｂ）のように、生成する。そして、ボンディングの際には、図５（ｂ）に示す温度指令によってヒータ２３を制御する。この結果、図６に示すように、ＮＣＦ４０の粘度Ｖが硬化粘度Ｖｓに到達した直後に金属バンプが溶融するような効率的なボンディング条件とすることができる。このように、本実施形態の加熱条件設定方法によれば、短時間にボンディング条件の設定を行える。
【００４５】
以上の説明は、粘度特性マップ５０を用いて加熱開始温度と温度上昇率の組み合わせを選択する場合、加熱開始温度特性マップ６０に記載された線に基づいて加熱条件を選択する場合について説明したが、このように、いずれか一方のマップを用いて加熱開始温度と温度上昇率の組み合わせを選択することに限らず、両方のマップを用いて加熱開始温度と温度上昇率の組み合わせを選択するようにしてもよい。
【符号の説明】
【００４６】
１０  ボンディングステージ、１２  ヒータ、１４，２６  コントローラ、２０  ボンディングヘッド、２１  ベース、２２  ヒートブロック、２３  ヒータ、２４  ボンディングツール、２５  駆動部、３１，３２  半導体チップ、５０  粘度特性マップ、６０  加熱開始温度特性マップ、９０  制御部、９１，９２  温度センサ、１００  ボンディング装置。
【図１】
2019065309.tif 000003
【図２】
2019065309.tif 000004
【図３】
2019065309.tif 000005
【図４】
2019065309.tif 000006
【図５】
2019065309.tif 000007
【図６】
2019065309.tif 000008
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
非導電性フィルムを用いて半導体チップをボンディングする際の半導体チップの加熱条件設定方法であって、
各種の温度上昇率における非導電性フィルムの温度に対する粘度の変化を示す粘度特性マップと、同一の温度上昇率で加熱開始温度を変化させた場合の非導電性フィルムの温度に対する粘度の変化を示す加熱開始温度特性マップと、のいずれか一方または両方に基づいて加熱開始温度と温度上昇率とを設定し、
粘度特性マップは、
ボンディングステージとボンディングツールの間に非導電性フィルムを挟みこんで一定の荷重で押圧した状態で、各種の温度上昇率で非導電性フィルムの温度を上昇させながら、ボンディングツールの降下量を測定し、ボンディングツールの降下量に基づいて非導電性フィルムの粘度を算出し、各種の温度上昇率における非導電性フィルムの温度に対する粘度の変化特性として出力したものであること、
を特徴とする加熱条件設定方法。
【請求項２】
非導電性フィルムを用いて半導体チップをボンディングする際の半導体チップの加熱条件設定方法であって、
各種の温度上昇率における非導電性フィルムの温度に対する粘度の変化を示す粘度特性マップと、同一の温度上昇率で加熱開始温度を変化させた場合の非導電性フィルムの温度に対する粘度の変化を示す加熱開始温度特性マップと、のいずれか一方または両方に基づいて加熱開始温度と温度上昇率とを設定し、
加熱開始温度特性マップは、
ボンディングステージとボンディングツールの間に非導電性フィルムを挟みこんで一定の荷重で押圧した状態で、各種の加熱開始温度から同一の温度上昇率で非導電性フィルムの温度を上昇させながら、ボンディングツールの降下量を測定し、ボンディングツールの降下量に基づいて非導電性フィルムの粘度を算出し、同一の温度上昇率で加熱開始温度を変化させた場合の非導電性フィルムの温度に対する粘度の変化特性として出力したものであること、
を特徴とする加熱条件設定方法。
【請求項３】
請求項１または２に記載の加熱条件設定方法であって、
ボンディングは、半導体チップに形成された金属バンプを溶融させて基板あるいは他の半導体チップの電極との間で合金を形成することにより半導体チップを基板または他の半導体チップに接合し、非導電性フィルムを熱硬化させて半導体チップと基板あるいは他の半導体チップとの間の隙間を充填するものであり、
加熱開始温度と温度上昇率の設定は、金属バンプの溶融開始温度よりも低い温度で非導電性フィルムの粘度が硬化粘度以上となる加熱開始温度と温度上昇率の組み合わせを選択すること、
を特徴とする加熱条件設定方法。
【請求項４】
（削除）
【請求項５】
請求項１に記載の加熱条件設定方法であって、
設定した加熱開始温度と温度上昇率とに基づいて、半導体チップを加熱するヒータへの温度指令を設定する加熱条件設定方法。
【請求項６】
請求項２に記載の加熱条件設定方法であって、
設定した加熱開始温度と温度上昇率とに基づいて、半導体チップを加熱するヒータへの温度指令を設定する加熱条件設定方法。
【請求項７】
請求項３に記載の加熱条件設定方法であって、
設定した加熱開始温度と温度上昇率とに基づいて、半導体チップを加熱するヒータへの温度指令を設定する加熱条件設定方法。
【請求項８】
ボンディング装置を用いた非導電性フィルムの粘度測定方法であって、
ボンディングステージとボンディングツールの間に非導電性フィルムを挟みこんで一定の荷重で押圧した状態で、所定の温度上昇率で非導電性フィルムの温度を上昇させながら、ボンディングツールの降下量を測定し、
ボンディングツールの降下量に基づいて非導電性フィルムの粘度を算出する非導電性フィルムの粘度測定方法。
【請求項９】
ボンディング装置であって、
非導電性フィルムが載置されるボンディングステージと、
前記ボンディングステージと共に前記非導電性フィルムを挟み込むボンディングツールと、
前記ボンディングツールを上下方向に駆動するボンディングヘッドと、
前記ボンディングヘッドに内蔵されたヒータと、
前記ボンディングヘッドの高さと前記ヒータの出力とを調整する制御部と、を備え、
前記制御部は、
前記ボンディングヘッドを降下させて前記非導電性フィルムを一定の荷重で押圧した状態で、前記ヒータによって所定の温度上昇率で前記非導電性フィルムの温度を上昇させながら、前記ボンディングツールの降下量を測定し、
前記ボンディングツールの降下量に基づいて前記非導電性フィルムの粘度を算出すること、
を特徴とするボンディング装置。
【手続補正２】
【補正対象書類名】明細書
【補正対象項目名】０００３
【補正方法】変更
【補正の内容】
【０００３】
れか一方または両方に基づいて加熱開始温度と温度上昇率とを設定し、粘度特性マップは、ボンディングステージとボンディングツールの間に非導電性フィルムを挟みこんで一定の荷重で押圧した状態で、各種の温度上昇率で非導電性フィルムの温度を上昇させながら、ボンディングツールの降下量を測定し、ボンディングツールの降下量に基づいて非導電性フィルムの粘度を算出し、各種の温度上昇率における非導電性フィルムの温度に対する粘度の変化特性として出力したものであること、を特徴とする。
［００１１］
本発明の加熱条件設定方法は、非導電性フィルムを用いて半導体チップをボンディングする際の半導体チップの加熱条件設定方法であって、各種の温度上昇率における非導電性フィルムの温度に対する粘度の変化を示す粘度特性マップと、同一の温度上昇率で加熱開始温度を変化させた場合の非導電性フィルムの温度に対する粘度の変化を示す加熱開始温度特性マップと、のいずれか一方または両方に基づいて加熱開始温度と温度上昇率とを設定し、加熱開始温度特性マップは、ボンディングステージとボンディングツールの間に非導電性フィルムを挟みこんで一定の荷重で押圧した状態で、各種の加熱開始温度から同一の温度上昇率で非導電性フィルムの温度を上昇させながら、ボンディングツールの降下量を測定し、ボンディングツールの降下量に基づいて非導電性フィルムの粘度を算出し、同一の温度上昇率で加熱開始温度を変化させた場合の非導電性フィルムの温度に対する粘度の変化特性として出力したものであること、を特徴とする。
［００１２］
本発明の加熱条件設定方法において、ボンディングは、半導体チップに形成された金属バンプを溶融させて基板あるいは他の半導体チップの電極との間で合金を形成することにより半導体チップを基板または他の半導体チップに接合し、非導電性フィルムを熱硬化させて半導体チップと基板あるいは他の半導体チップとの間の隙間を充填するものであり、加熱開始温度と温度上昇率の設定は、金属バンプの溶融開始温度よりも低い温度で非導電性フィルムの粘度が硬化粘度以上となる加熱開始温度と温度上昇率の組み合わせを選択することとしてもよい。
［００１３］
［００１４］
本発明の加熱条件設定方法において、設定した加熱開始温度と温度上昇率とに基づいて、半導体チップを加熱するヒータへの温度指令を設定してもよい。
［００１５］
これにより、本発明の加熱条件設定方法は、短時間でボンディングの際の
【国際調査報告】
2019065309.tif 000009
2019065309.tif 000010
2019065309.tif 000011
2019065309.tif 000012